(57)【要約】【課題】ビーズ流路に供給された時点で、ビーズの色や形状に伴うビーズ順が気に入るか否かを作成者自身の感性（あるいはデザイン力）により判断させ、気に入ったときだけ糸に通し、それ以外のときは糸に通さないように選択できる新規なビーズ製品作成器を提供する。【解決手段】本発明に係るビーズ製品作成装置は、ビーズＢをビーズ流路６に供給するビーズ供給部２１と、該ビーズを供給順に針金Ｈの頭端Ｈ１　に挿し込むビーズ挿通部８と、該ビーズＢを糸２０を連繋した針金の尻端Ｈ２　に向けて搬送するビーズ搬送部１１とを備え、前記ビーズ供給部２１とビーズ挿通部８との間のビーズ流路６上に、前記ビーズ挿通部８以外にビーズを流す分岐部７を設けたことを特徴とし、ビーズ流路６に供給されたビーズの色（や形状）の配置順が気に入らなかったときにはそのビーズ群をビーズ挿通部８以外に流せるように構成した。【選択図】　　　図１
2004084114.tif 000002
【特許請求の範囲】
【請求項１】
ビーズをビーズ流路に供給するビーズ供給部と、該ビーズを供給順に針金の頭端に挿し込むビーズ挿通部と、該ビーズを糸を連繋した針金の尻端に向けて搬送するビーズ搬送部とを備え、前記ビーズ供給部とビーズ挿通部との間のビーズ流路上に、前記ビーズ挿通部以外にビーズを流す分岐部を設けたことを特徴とするビーズ製品作成器。
【請求項２】
前記ビーズ供給部が、ビーズの収容口と排出口と該排出口からビーズを排出させるハンドルとを有するビーズ収容器と、該ビーズ収容器を複数個設置でき、各ビーズ収容器の排出口を前記ビーズ流路の頂部入口に交換可能に合致させることができる可動テーブルとを備えたことを特徴とする請求項１に記載のビーズ製品作成器。
【請求項３】
前記分岐部が、ビーズの堰止位置を中心に２方向に回動して前記ビーズ挿通部への通路とキャンセル部への通路とを選択開放できるローターと、該ローターを前記２方向に回動操作できるハンドルとからなることを特徴とする請求項１又は２に記載のビーズ製品作成器。
【発明の詳細な説明】
【０００１】
【発明の属する技術分野】
本発明は、ビーズ（糸通し穴のついた小さな飾り玉で、数珠玉、南京玉ともいう。）を糸に順次通して簡易にアクセサリー等のビーズ製品を作成できるビーズ製品作成器に関するものである。
【０００２】
【従来の技術】
一般に、ビーズ製品作成器は、ビーズ収容部に収容されたビーズをビーズ流路の頂部入口から供給し、順次、ビーズの穴を針金の頭端に挿し込むビーズ挿通部へ送り込み、該ビーズ挿通部はビーズに振動を付与して転動させ、穴と針金の頭端とを合致させ、該針金に挿し込まれたビーズを針金に沿ってその尻端に向けて搬送し、針金の尻端の糸通し穴に連繋した糸に順次通すことができるように構成されていた。
【０００３】
そして、必要な個数のビーズを通した糸端を互いに結着することにより、例えば、指輪、ブレスレット、ネックレスなどのアクセサリーやその他のビーズ製品を簡易に作成できるようにしていた。
【０００４】
【発明が解決しようとする課題】
しかしながら、上記従来のビーズ製品作成器では、ビーズ流路に供給されたビーズはその色や形状に関係なく供給順に糸に通されることとなり、いったんビーズ流路に供給された後は、その色（形状の場合もある。）の配置順が気に入らなくても順に糸に通されてしまい変更できず、あとから変更するときは、作成したビーズ製品を壊して最初からビーズを糸に通しなおさなければならないという問題があった。
【０００５】
本発明は、上記問題を解消するためのもので、その目的とするところは、ビーズ流路に供給された時点で、ビーズの色（又は形状）に伴うビーズ順が気に入るか否かを作成者自身の感性（あるいはデザイン力）により判断させ、気に入ったときだけ糸に通し、それ以外のときは糸に通さないように選択できる新規なビーズ製品作成器を提供することにある。
【０００６】
【課題を解決するための手段】
上記目的を達成するため、本発明は、ビーズをビーズ流路に供給するビーズ供給部と、該ビーズを供給順に針金の頭端に挿し込むビーズ挿通部と、該ビーズを糸を連繋した針金の尻端に向けて搬送するビーズ搬送部とを備え、前記ビーズ供給部とビーズ挿通部との間のビーズ流路上に、前記ビーズ挿通部以外にビーズを流す分岐部を設けたことを特徴とし、ビーズ流路に供給されたビーズの色や形状の配置順が気に入らなかったときにはそのビーズ群をビーズ挿通部以外に流せるように構成した。
【０００７】
また、請求項２に記載の発明は、前記ビーズ供給部が、ビーズの収容口と排出口と該排出口からビーズを排出させるハンドルとを有するビーズ収容器と、該ビーズ収容器を複数個設置でき、各ビーズ収容器の排出口を前記ビーズ流路の頂部入口に交換可能に合致させることができる可動テーブルとを備えたことを特徴とし、予め、色や形状を異にするビーズを複数のビーズ収容器に区別しておき、可動テーブルを動かしつつ各ビーズ収容器からハンドル操作により望みのビーズをビーズ流路に供給できるように構成した。
【０００８】
さらに、請求項３に記載の発明は、前記分岐部が、ビーズの堰止位置を中心に２方向に回動して前記ビーズ挿通部への通路とキャンセル部への通路とを選択開放できるローターと、該ローターを前記２方向に回動操作できるハンドルとからなることを特徴とし、堰止め時点でビーズの配置順を確認し、ハンドル操作によりビーズ挿通部への通路か、キャンセル部への通路かを選択できるように構成した。
【０００９】
【発明の実施の形態】
次に、本発明の実施の形態を図１〜図５に基づいて説明する。図１は本願ビーズ製品作成器の外観を示す一部切欠斜視図、図２は本願ビーズ製品作成器の正面図、図３は分岐部の要部を示す斜視図、図４は分岐部の堰止機構の作用を示す正面図、図５は分岐部の作用を示す正面図で、（ａ）はビーズ挿通部への通路の開放時、（ｂ）はキャンセル通部の開放時である。
【００１０】
１は外筐体で、該外筐体１の前面側には透明前板２が嵌められ、該透明前板２の奥側に扁平空間３を介して内壁板４が設けられている。この扁平空間３内の上位部には、前記外筐体１の頂部に開口する頂部入口５に連通するビーズ流路６がビーズを自重により流下できる傾斜角をもって形成されている。該ビーズ流路６は図示の例では頂部入口５から逆くの字状に屈曲されている。
【００１１】
前記ビーズ流路６は、断面コ字状の枠で構成され、該枠の背側を前記内壁板４に固着し、開口側を前記透明前板２に内接させ、これを流下するビーズの状態が透視可能になっている。
【００１２】
前記扁平空間３内の中位部には、前記ビーズ流路６の下流側に後記する分岐部７を介してビーズ挿通部８が設けられている。該ビーズ挿通部８はビーズＢの中心を貫通した糸通し穴（図示せず）を針金Ｈの頭端Ｈ１　に挿し込むためのものであり、ビーズＢを自重により流下できる傾斜角を有する直線路８ａと、その下流端に下向きの屈曲路８ｂとを有し、該屈曲路８ｂに針金Ｈの頭端Ｈ１　を臨ませている。この針金Ｈの頭端Ｈ１　にはビーズ挿通部８の直線路８ａに縦列するビーズＢの先頭が覆い被さるような恰好で当接している。
【００１３】
前記ビーズ挿通部８は、その直線路８ａが上流端側の支持点８ａ′で前記内壁板４に軸方向及び回動方向に微小に可動できるように支持され、かつ、下流端側の下面に突出させた爪片８ｃを前記内壁板４に軸支されている後記するビーズ搬送部９のローラ９ａと一体のギア９ａ′に歯飛びできるように係合している。従って、該ギア９ａ′が回転して爪片８ｃが歯飛びするとビーズ挿通部８の全体が支持点８ａ′を中心に小刻みな上下回動運動と軸方向振幅運動を渦巻きバネ１０のバネ力に抗して行われ、これによりビーズ挿通部８は全体的に振動する。この振動により先頭のビーズは転動し、糸通し穴の向きが変化しつつ屈曲路８ｂに臨んでいる針金Ｈの頭端Ｈ１　に合致する、その瞬間に、針金の頭端に挿通されるようになっている。
【００１４】
前記針金Ｈの頭端Ｈ１　から挿通されたビーズＢは、ビーズ搬送部９により針金Ｈに沿ってその尻端Ｈ２　に向けて順次搬送される。このビーズ搬送部９は、前記ビーズ挿通部８の直線路８ａの下流端にある屈曲路８ｂに、頭端Ｈ１　を臨ませた状態を維持するように針金Ｈを挟持した２つのローラ９ａ、９ｂと、該針金ＨをＵ字状に挟持した２つのローラ９ｃ、９ｄと、該針金Ｈを逆Ｕ字状に挟持し、かつ、該針金Ｈの尻端Ｈ２　をその露出口１２に臨ませるように挟持した２つのローラ９ｅ、９ｆを有している。これらローラ９ａ、９ｂ、９ｃ、９ｄ、９ｅ、９ｆは、周面に針金Ｈに挿通されたビーズＢを抱持するように合致可能な凹孔１３を複数個所に備えている。
【００１５】
前記ビーズ搬送部９の各ローラ９ａ〜９ｆの搬送動力源は、前記外筐体１の右脇部に設けた回転ハンドル１４である。即ち、回転ハンドル１４を所定方向に回転させると、その円盤部の中心に一体に植設した回転軸１５の内端に固定したウォーム１６とウォームギア１６′等の連繋機構を介して前記ローラ９ａがビーズ搬送方向に回転するようになっている。しかして、ローラ９ａの回転は、該ローラ９ａと一体のギア９ａ′からローラ９ｂと一体のギア９ｂ′と、中間ギア１７を介してローラ９ｃと一体のギア９ｃ′へ伝達される。また、該ギア９ｃ′からはローラ９ｄ、９ｅ、９ｆへ、これらと一体のギア９ｄ′、９ｅ′、９ｆ′を介して順に伝達されるようになっている。
【００１６】
前記針金Ｈの尻端Ｈ２　の露出口１２は、前記外筐体１の左脇下側に設けられており、平時は、開閉蓋１８により閉じられているが、針金Ｈの尻端Ｈ２　に形成されている糸通し穴１９にビーズ製品の芯糸になる糸（通常ではテグス糸を使用）２０を連繋するときやそれ以降の作業を行う（ビーズを順次通す）ときなどに図１の如く開放される。しかして、上述の如く、針金Ｈに沿って搬送されてきたビーズはその尻端Ｈ２　に連繋された糸２０に順次挿通されることとなり、該糸２０に必要な個数のビーズを通した後に両糸端を互いに結着すれば、指輪やブレスレットやネックレスなどのアクセサリーが作成できる。
【００１７】
前記外筐体１の頂部には、ビーズ流路６の頂部入口５にビーズを供給するためのビーズ供給部２１が設けられている。該ビーズ供給部２１はビーズ収容器２２と、該ビーズ収容器２２を複数個着脱可能に設置できる可動テーブル２３とを備えている。
【００１８】
前記ビーズ収容器２２は、蓋２２ａ′が着脱可能に嵌められているビーズ収容口２２ａとビーズ排出口２２ｂと該排出口２２ｂからビーズを排出させるハンドル２２ｃとを有している。また、前記可動テーブル２３は、図示の例では、外筐体１の頂部中央部に立てた立軸（図示せず）を中心に水平方向に回転可能に取付けられ、これに設置した各ビーズ収容器２２の排出口２２ｂをビーズ流路６の頂部入口５に合致させることができるようになっている。
【００１９】
前記可動テーブル２３は、本例では前記ビーズ収容器２２を４等配位置に設置できるようにしている。これは色を異にするビーズをそれぞれ個別にビーズ収容器２２に収容し、ビーズ流路６に供給するビーズの色を意識的に順序立てて供給できるようにするために有効である。尤も、前記可動テーブル２３を利用せず、１つのビーズ収容器に色を異にする複数種のビーズを混合して収容しておき、ビーズ流路に供給されるビーズの色を無作為（偶然性を伴う）に並べられるようにしてもよい。偶然に並んだ色順が気に入る場合もあり、仮に気に入らないときでも後述の如くキャンセルすれば足りるからである。
【００２０】
前記可動テーブル２３は、各ビーズ収容器２２の排出口２２ｂが前記ビーズ流路６の頂部入口５に合致した位置でクリックストップ可能になっている。勿論、可動テーブル２３は水平方向の回転に限らず、水平方向或いは傾斜方向にスライドするように構成しても良いし、その他の構成、例えば、観覧車のように縦方向に回転可能に構成してもよい。
【００２１】
前記ビーズ収容器２２の排出口２２ｂからビーズを１個あて排出させる排出構造（図示せず）は、自由に決定してよいが、本例では特に図示していないが、前記ハンドル２２ｃを下向きにバネ手段（図示せず）に抗して作動させたときに、排出口２２ｂの元部に設置した円盤が１８０°毎に回転し、その円周の１８０°位置に設けたビーズ受入れ凹部にて１個あて掬い取ったビーズを排出できるようになっている。勿論、他の排出機構（例えば、ハンドル２２ｃの１回の操作でビーズを複数個づつ排出）を採用することもある。なお、前記ハンドル２２ｃによる排出操作は、ビーズ収容器２２の排出口２２ｂがビーズ流路６の頂部入口５に合致しているときに限るように調整されている。
【００２２】
前記ビーズ供給部２１と前記ビーズ挿通部８との間のビーズ流路６上に設けられた分岐部７は、いったんビーズを堰止めてビーズの並び順を確認できる機能を備えている。該分岐部７として具体的には、図３〜図５の如く、前記ビーズ供給部２１に連通するビーズ流路６を流下してきたビーズを堰止める堰止位置ａを中心に２方向（左方向又は右方向）に所定角度回動できるローター２４と、該ローター２４を前記２方向に回動操作できるハンドル２５とからなる。
【００２３】
前記ハンドル２５は、外筐体１の左脇上部に設けた縦長穴２６から露出している。該ハンドル２５はその奥端には、図３の如く、横向きＴ型材２７が、縦材部２７ａと横材部２７ｂの交点にて固定され、その横型部２７ｂの先端側に植設したピン２８を前記ローター２４の中心軸２４ａと一体で、左方向（ハンドル２５側に向けて）に延びたレバー２９の先端フォーク部２９ａにスライド可能に係合している。
【００２４】
しかして、前記ハンドル２５が、図４の如く、前記縦長穴２６の中間点Ｐ１　に位置している状態では、該ハンドル２５の奥端に固定した横材部２７ｂと、ローター２４のレバー２９とが、ピン２８を介してほぼ直線状に連結している。このとき、ローター２４の堰止位置ａは、前記ビーズ流路６に面して位置しており、ビーズＢをビーズ流路６に堰止めている。
【００２５】
前記ローター２４の中心軸２４ａにはコイルバネ３０が嵌合し、該コイルバネ３０の両端は、該ローター２４の背面の偏心位置に設けた突子３１に係止しており、ローター２４が前記堰止位置ａから右又は左に回動したときにも、常に、出発点、即ち、前記堰止位置ａがビーズ流路６に一致するように復帰できるようになっている。
【００２６】
前記ハンドル２５を前記縦長穴２６の中間点Ｐ１　から手指で押して図５（ａ）の矢印の如く下点Ｐ２　に移動させると、前記Ｔ型材２７の横材部２７ｂとレバー２９とが、ピン２８を中心に谷折れし、該ローター２４を前記コイルバネ３０のバネ力に抗して堰止位置ａから左方向（矢印イ方向）に回動させる。一方、前記ハンドル２５を前記縦長穴２６の中間点Ｐ１　から手指で押して図５（ｂ）の矢印の如く上点Ｐ３　に移動させると、前記Ｔ型材２７の横材部２７ｂとレバー２９とが、ピン２８を中心に山折れし、該ローター２４を前記コイルバネ３０のバネ力に抗して堰止位置ａから右方向（矢印ロ方向）に回動させる。
【００２７】
前記ローター２４の堰止位置ａから前記２方向の回動範囲は、前記縦長穴２６を移動するハンドル２５の下点Ｐ２　と上点Ｐ３　により規制されている。そして、ハンドル２５の下点Ｐ２　では、ローター２４を横断するように設けた横断路３２が前記ビーズ流路６とビーズ挿通部８への連絡路３３とを連絡させ、該ビーズ挿通部８までビーズ群を送り込む。一方、ハンドル２５の上点Ｐ３　では、ローター２４に設けた凹欠部３４が前記ビーズ流路６に一致し、該凹欠部３４からビーズを、前記内壁板４の透孔（図示せず）を通して、ガイド流路３５′を経て外筐体１の裏側の開閉蓋（図示せず）を持つ室内に備えたキャンセル部（キャンセルビーズ収容箱）３５に投入される。このキャンセルビーズは前記ビーズ収容器２２に戻して再利用できることは勿論である。
【００２８】
前記ハンドル２５の下点Ｐ２　と上点Ｐ３　において、該ハンドル２５から手指の押圧力を解除すると、前記ハンドル２５はコイルバネ３０の作用で、常に、中間点Ｐ１　に復帰する。これと同時に、ローター２４の堰止位置ａをビーズ流路６に面するように戻すこととなる。
【００２９】
次に、本発明の作用について説明する。まず、外筐体１の頂部に設けたビーズ供給部２１の可動テーブル２３に設置した複数のビーズ収容器２２に色や形状を異にするビーズＢをそれぞれ個別に収容するとともに、外筐体１の左脇下側の蓋１８を開けて針金Ｈの尻端Ｈ２　を露出させ、該尻端Ｈ２　の糸通し穴１９に糸２０を通しておく。
【００３０】
次いで、ビーズ製品作成者は、ビーズ供給部２１の可動テーブル２３を回転させつつ、自己の感性によりビーズ流路６に供給したい色や形状のビーズが収容されているビーズ収容器２２の排出口２２ｂをビーズ流路６の頂部入口５に合致させ、ハンドル２２ｃを下動して排出口２２ｂよりビーズを１個宛排出させる。該排出順が、例えば、赤、赤の如く同じ色が続くときはその数だけハンドル操作を繰り返す。これにより、分岐部７のローター２４の堰止位置ａには排出したビーズが並ぶこととなる。
【００３１】
前記分岐部７のローター２４の堰止位置ａに並んだビーズの順序がビーズ製品作成者をして「気に入った」ときは、外筐体１の左脇上部に設けた縦長穴２６から露出しているハンドル２５を手指でつまんで下向きにその下点Ｐ２　まで移動させると、これに連動してローター２４が回動し、横断路３２をビーズ流路６に一致させる。
【００３２】
これにより、ローター２４の堰止位置ａに並んでいたビーズはローター２４の連通路３２を通過し、連絡路３３を経てビーズ挿通部８へ図５（ａ）の如く送り込まれる。該ビーズ挿通部８に送り込まれたビーズは、直線路８ａの下流の屈曲路８ｂに臨んでいる針金Ｈの頭端Ｈ１　に当接し、該当接ビーズを先頭に縦列状に並ぶ。この先頭のビーズＢは針金Ｈの頭端Ｈ１　に覆い被さるような恰好になる。この状態になった時点でハンドル２５から手指を離すと、ハンドル２５はコイルバネ３０の作用で縦長穴２６の中間点Ｐ１　まで復帰する。
【００３３】
しかる後、前記外筐体１の右脇部に設けた回転ハンドル１４を所定の方向に回転させると、該回転ハンドル１４と一体の回転軸１５の内端に固定したウォーム１６とウォームギア１６′との作用によりローラ９ａが回転し、これと一体のギア９ａ′と爪片８ｃとの作用によりビーズ挿通部８が振動し、ビーズに転動を与え、先頭のビーズの穴に針金Ｈの頭端Ｈ１　が挿通する。該針金Ｈの頭端Ｈ１　に挿通されたビーズはビーズ搬送部９を経て針金Ｈの尻端Ｈ２　に搬送され、尻端Ｈ２　の糸通し穴に連繋している糸２０に順次通される。
【００３４】
一方、前記分岐部７のローター２４の堰止位置ａに並んだビーズの順序がビーズ製品作成者をして「気に入らなかった」ときは、外筐体１の左脇上部に設けた縦長穴２６から露出しているハンドル２５を手指でつまんで上向きに上点Ｐ３　まで移動させると、これに連動してローター２４の凹欠部３４がビーズ流路６に一致する。
【００３５】
これにより、ローター２４の堰止位置ａに並んでいたビーズは、該凹欠部３４から前記内壁板４の透孔（図示せず）を抜けてキャンセル部３５に投入され、ビーズ挿通部８へは送り込まない。即ち、ビーズはいったん好みの色（形状）のものを配置してみて、気に入れば「良し」、気に入らなければ、即時にキャンセルすることができ、あとからビーズ製品を壊して造りなおすことが事前に回避できるようにしている。
【００３６】
図中、３６は外筐体１の台座、３７は外筐体１の透明前板２の一部に設けた透明小型扉である。透明小型扉３７はビーズ挿通部８において生じ易いビーズのトラブルを回避するためものである。即ち、ビーズ挿通部８の屈曲路８ｂとこれに臨んでいる針金Ｈの頭端Ｈ１　との間には、ビーズが挿通されないまま詰まってしまうことがあり得るが、該透明小型扉３７はかかる場合に有効に機能するものである。
【００３７】
なお、上記ビーズ供給部２１は、複数のビーズ収容器２２を可動テーブル２３に着脱可能に設置し、該可動テーブル２３を回転させつつ、所望の１つのビーズ収容器２２の排出口２２ｂをビーズ流路６の頂部入口５に合致させる構造になっていたが、図示していない他の構造を採用することもある。例えば、ビーズ流路６の頂部入口５を複数設け、個々の頂部入口にビーズ収容器の排出口を連繋し、可動テーブルを利用することなく、何れのビーズ収容器からもビーズをビーズ流路に供給できるようにすることも可能である。
【００３８】
【発明の効果】
以上の如く、本発明は、ビーズをビーズ流路に供給するビーズ供給部と、該ビーズを供給順に針金の頭端に挿し込むビーズ挿通部と、該ビーズを糸を連繋した針金の尻端に向けて搬送するビーズ搬送部とを備え、前記ビーズ供給部とビーズ挿通部との間のビーズ流路上に、前記ビーズ挿通部以外にビーズを流す分岐部を設けたことを特徴としているから、ビーズ流路に供給されたビーズの色（又は形状）の配置順が気に入らなかったときには即座にその気に入らないビーズ群をビーズ挿通部以外に流し、即時にキャンセルすることができるという優れた効果を奏するものである。
【００３９】
また、請求項２に記載の発明は、前記ビーズ供給部が、ビーズの収容口と排出口と該排出口からビーズを排出させるハンドルとを有するビーズ収容器と、該ビーズ収容器を複数個設置でき、各ビーズ収容器の排出口を前記ビーズ流路の頂部入口に交換可能に合致させることができる可動テーブルとを備えたことを特徴としているから、予め、色や形状を異にするビーズを複数のビーズ収容器に区別しておき、可動テーブルを動かしつつ各ビーズ収容器からハンドル操作により望みのビーズをビーズ流路に供給できるという優れた効果を奏するものである。
【００４０】
さらに、請求項３に記載の発明は、前記分岐部が、ビーズの堰止位置を中心に２方向に回動して前記ビーズ挿通部への通路とキャンセル部への通路とを選択開放できるローターと、該ローターを前記２方向に回動操作できるハンドルとからなることを特徴としているから、堰止め時点でビーズの配置順を確認し、ハンドル操作によりビーズ挿通部への通路か、キャンセル部への通路かを選択できるという優れた効果を奏するものである。
【図面の簡単な説明】
【図１】本願ビーズ製品作成器の外観を示す一部切欠斜視図である。
【図２】本願ビーズ製品作成器の正面図である。
【図３】分岐部の要部を示す斜視図である。
【図４】分岐部の堰止機構の作用を示す正面図である。
【図５】分岐部の作用を示す正面図であり、（ａ）はビーズ挿通部への通路の開放時、（ｂ）はキャンセル通部の開放時である。
【符号の説明】
１　外筐体
２　透明前板
３　扁平空間
４　内壁板
５　頂部入口
６　ビーズ流路
７　分岐部
８　ビーズ挿通部
８ａ　直線路
８ａ′　支持点
８ｂ　屈曲路
８ｃ　爪片
９　ビーズ搬送部
９ａ〜９ｆ　ローラ
９ａ′〜９ｆ′ギア
１０　渦巻きバネ
１２　露出口
１３　凹孔
１４　回転ハンドル
１５　回転軸
１６　ウォームギア
１６′　ウォーム
１７　中間ギア
１８　蓋
１９　糸通し穴
２０　糸
２１　ビーズ供給部
２２　ビーズ収容器
２２ａ　ビーズ収容口
２２ｂ　排出口
２２ｃ　ハンドル
２３　可動テーブル
２４　ローター
２４ａ　中心軸
２５　ハンドル
２６　縦長穴
２７　横向きＴ型材
２７ａ　縦材部
２７ｂ　横材部
２８　ピン
２９　レバー
２９ａ　先端フォーク部
３０　コイルバネ
３１　突子
３２　横断路
３３　連絡路
３４　凹欠部
３５　キャンセル部
３５′　ガイド流路
３６　台座
３７　透明小型扉
Ｂ　ビーズ
Ｈ　針金
Ｈ１　　頭端
Ｈ２　　尻端
【図１】
2004084114.tif 000003
【図２】
2004084114.tif 000004
【図３】
2004084114.tif 000005
【図４】
2004084114.tif 000006
【図５】
2004084114.tif 000007